(57)【要約】      （修正有）【課題】従来の生ゴミ処理機分解槽材質の金属や合成樹脂板は、菌床の菌の棲息に不適であり、分解槽材質は呼吸作用や保水力を有した材質にするのが生きた菌の性質上望ましい、又、生ゴミ処理で二次的に発生する悪臭の消臭対策と水蒸気汚水公害の対策についても従来装置は不十分であり、環境保全や安全思考を重視する昨今、生ゴミ分解処理は最終処理システムまで装置に組込まれたものとすることが欲せられる。【解決手段】分解槽自体の材質として木製にして樽形式にすることで、呼吸作用や保水具合を満たす分解槽形並びに材質とし、二次的に出る悪臭ガス水蒸気等を水槽へ散気し、水槽で飼育する生植物類に生殖生理現象として取込ませ、分解処理を促し、暗室水槽で無光分解微生物で分解処理を施した後、栽培ハウスの作物に吸収させたり、又、ガスエヤー分を空気清浄化させることで生態系最終処理を組込んだ生ゴミ処理システムとした。【選択図】図１
2004314036.tif 000002
【特許請求の範囲】
【請求項１】
分解槽を構成する胴体、両妻面、蓋の各々の材質に木材を用いたもので、例えば木樽形状の分解槽を特徴とした木槽式生態系生ゴミ処理システム。
【請求項２】
分解槽胴体に有させた通気口の形式に於いて、通気口内部に巣状板、又は、巣網を有させ、外側に空間を保った通気口箱内全域に通気可海面状のスポンジ質材を詰込んでいる構造から、分解槽内の菌床が巣状板、又は、巣網を越えて漏れ出ることなく菌床の下部から、菌床に通気させることを特徴とした請求項１の木槽式生態系生ゴミ処理システム。
【請求項３】
分解槽内からの発酵ガスを生植物飼育水槽の底の散気板へ送り水中へ散気させ、ガス中の成分を水槽水中に溶解流入させることで、そのガス中の悪臭元の有機物等を食料として生息する水性植物や水性生物を水槽内で生殖させることで、生ゴミ処理に伴う悪臭の消臭処理を行なうことを特徴とした請求項１、２の木槽式生態系生ゴミ処理システム。
【請求項４】
生植物飼育水槽に貯水してオーバーフローする水を暗室水槽内へ流入させ、その水中で光を拒む微生物をその水と残った有機物により生殖させ、その微生物活動により水の浄化を行うことを特徴とした請求項１、２、３の木槽式生態系生ゴミ処理システム。
【請求項５】
暗室水槽内からのオーバーフロー水をシステム上の栽培ハウスの栽培作物への施水として処理することを特徴とした請求項１、２、３、４の木槽式生態系生ゴミ処理システム。
【請求項６】
生植物飼育水槽からの残存エヤーをシステム上の栽培ハウス内に送風し、栽培作物の光合成活動により得られる空気浄化により、新鮮な空気にして換気窓から野外へ放出することを特徴とした請求項１、２、３、４、５の木槽式生態系生ゴミ処理システム。
【発明の詳細な説明】
【０００１】
【産業上の利用分野】
本発明は生ゴミ処理装置に係るものである。
【０００２】
【従来の技術】
従来の生ゴミ処理装置は、その分解槽自体を構成する材質に金属板、樹脂板が用いられているものが主流である。
【０００３】
従来の生ゴミ処理に伴う悪臭の消臭方法は、食物連鎖から見て、微生物より以降の生物植物の生殖活動を利用した消臭方法は皆無である。
【０００４】
従来の菌床への通気送風は菌床上部から行なっているのが主流である。
【０００５】
【発明が解決しようとする課題】
従来の分解槽自体の材質の金属や樹脂に菌は馴染まず、処理回数の増加に伴い分解槽自体に菌が馴染み住み着く材質が好ましく、言わば、菌にとって分解槽である住居環境こそが、より、好気生菌の助長を促し、生ゴミ分解上悪臭の少ない理想的な処理へと向上させる余地があるという課題が残されている。
【０００６】
従来、菌床への通気は菌床の上部より送風しており、その実態は攪拌混合時の通気送風のみで、以降否混合時の菌床熟成時の菌に対し酸素が供給できない問題があり、真に、否攪拌混合時こそ菌は酸素を必要とする生殖分解を行なっているものであるからして、菌床の下部より菌床内に向けて通気送風を行なわなければならない課題がある。
【０００７】
従来、生ゴミ処理に伴う悪臭消臭は従来の装置システムでは困難であり、その設置場所には限界があり、生ゴミ処理の社会環境や文化的背景を考慮した進んだ処理システムの開発研究が望まれるもので課題である。
【０００８】
生ゴミ処理に悪臭を伴い生ずるガスを有効利用し、その利用の仕方から悪臭を消臭する方法は従来存在しておらず、その方法とする処理システムに生態系を生かし、生ゴミ処理に伴い新たな生育圏を提供すると同時に、現環境の保全は元より、装置の設置場所から、新なる環境空間を創造提案し、生ゴミ処理を身近に美しく社会に取り入れることを必要とする大きな課題がある。
【０００９】
【問題を解決するための手段】
分解槽自体の胴体、両妻面、蓋の材質に天然木材を用い、分解槽を木樽構造に構築し、菌が馴染みやすい分解槽とする。
【００１０】
菌床の安静熟成時間帯の否攪拌混合時に、菌床へ下部より通気送風できるように分解槽の下部に通気口を設ける。
【００１１】
生ゴミ処理に伴う悪臭の消臭方法として、生植物の生態系を用い、水槽内にガスの構成元素を好む生物植物を繁殖させ、水槽水中にガスを散気させ、ガス中の水分と付着した悪臭源元素を水中に溶解させ、生植物がこれを取込むことで悪臭を消臭激減させる。
【００１２】
更に、水槽からオーバーフローしてくる水を暗室水槽に流入させ、中に繁殖させる光を拒む微生物で残存した悪臭物の分解を促し、その後、浄化した水をオーバーフロー水として栽培ハウス等作物の施水とする。
【００１３】
又、水槽からのエヤー分を栽培ハウスへ送風し、栽培作物の生殖作用等に伴う光合成からエヤーを浄化に導き、新鮮な空気にして換気窓から野外に送り出し、装置設置場所周辺へ悪臭公害を一切及ぼすことなく生ゴミ処理が実現できるようにする。
そして、最終的に生ゴミ処理とそれに伴う悪臭の処理にも、対して、菌、微生物、多細胞生物、水草、植物等生態系を組み込み、社会環境への生ゴミ処理の新なる関わり方を提案するものである。
【００１４】
【作用】
生ゴミを投入口から投入し、チョッパーで粉砕した後、分解槽の菌床へ落下させた後、菌床ごと攪拌棒で混合した上、菌床の否攪拌混合安静熟成時間帯に菌床下部の通気口より通気送風を促し、菌の活動を良好にさせる。やがて、木槽特有の分解槽に菌が馴染み、より、好気生菌が一段と活発とさせ、嫌気生菌の活動が抑制され、その結果、嫌気悪臭を少なくさせる。
そして、ガスを生植物飼育水槽底の散気板から、水槽水中に散気させガス中の成分を水中に溶解流入させ、その成分に含まれる有機元素を好む水中や水上の生物植物に取込ませ悪臭を消臭激減させる。
次に、オーバーフロー水を暗室水槽へと流入させ、光を拒む微生物による分解により新なる浄化の後、栽培ハウスの作物の施水として利用する。
又、生植物飼育水槽からのエヤーを栽培ハウスに送風し、作物による空気浄化を行なった後換気窓から野外に放出する。
このように、最終段階まで周辺に悪臭公害を及ぼすこがない理想的処理を実現するだけでなく、生ゴミ処理の装置とシステムが次世代の環境社会のあり方としたひとつの創造をも提案するものとする。
【００１５】
【発明実施の形態】
発明実施の形態について図面を参照し説明する。
木槽本体と胴体は１を兼用して表す。
１図は木槽式生態系生ゴミ処理システムの全体の斜視図であり、木製の分解槽の胴体１と妻面２とで構成した木槽本体１を２、５、６、７図参照の枠６６と枠柱３で構成した架台に、枠６６と胴体１との接点でボルトナット８７で取付固定してあり、胴体１の両端でバンド６１を用い、バンド両端のスプリング６５を用い枠６６にナット６２で締め付け、樽形状の分解槽とする木槽本体１を構築している。
【００１６】
次に、生ゴミ処理の手順から説明をしていく。
３図参照のバケツ７０から、生ゴミ７１を投入口チョッパー４に投入すると、チョッパー駆動モーター１０とギヤー９とに渡したチェーン５９で、シャフト５５に有させたチョッパー刃５９の矢印回転により、粉砕させた生ゴミ７２となり菌床７３の上部に落下する。
【００１７】
２図参照。分解木槽本体１の両妻面２に固定したメタル５１と５２で支えたシャフト５０に有させた複数本の攪拌棒５４を、１図参照の攪拌駆動モーター８によりシャフト５０の先端のギヤー７をチェーン５３駆動することで、シャフト５０ごと攪拌棒５４を回し、３図参照。菌床７３を攪拌棒５４で矢印のように回転し攪拌混合することを可能としている。
【００１８】
１、８、９図参照。胴体１に有させた通気口は、胴体１の内面に添わせた巣状板、又は、巣網８２を施した通気箱５を通気箱枠８３の接点でビス８４にて胴体１に取付けてある。そして、通気箱５の内部に通気可海面状のスポンジ質材８１を詰込み菌床混入防止通気口とし、この通気箱５に通気送風パイプ１２を接続していてブロワー１１により矢印の如く菌床７３内部に通気を促す仕組みである。
【００１９】
２、３、４、１０図参照。菌床で生ゴミが分解されるに伴い生じる発酵熱によるガス蒸気をガス排出パイプ１３を用い吸入送風機２３で散気パイプ２４に送り生植物飼育水槽の２１の散気板２６から、図１０に示すように海綿状包囲材の内部に配列させた分離散気パイプ３６から、海綿状包囲材内を通過させ、その表面全域から水中へ矢印のように散気させる。
【００２０】
生植物飼育水槽２１内では、１、２、３、４図に示すように、水上浮き草類１４水中草類１８魚類１６貝類１９等多種多様な水性生物を飼育することにより、木槽からのガス成分に含まれる悪臭有機成分等を好む生物により、それを食料として取入させ、その活動で分解させ悪臭消臭の効果を企てているものである。
【００２１】
生植物飼育水槽２１内に貯水されてオーバーフローしてくる水蒸気を、逐次、暗室水槽２７内へ矢印状態にオーバーフローパイプ２５で流入貯水７４とし、その内部に棲息させた光を拒む微生物により分解浄化させ、逐次、貯水することでオーバーフローする水を浄化完了水として、オーバーフローパイプ２８から通水パイプ２９を経て、栽培ハウス３２内の作物３４への施水として矢印のように分岐パイプ３０を経て施水パイプ３１で施水する。
【００２２】
生植物飼育水槽２１からの余剰エヤーをエヤー分配パイプ３５を用い、栽培ハウス３２内へ送風し、作物３４による光合成生殖作用等により空気清浄化を行いその後、換気窓３３から矢印のように野外へと放出させる。
【００２３】
【発明の効果】
本発明は、生ゴミを菌により分解させる分解槽が、従来のように菌が馴染みにくい金属や合成樹脂板でなく、菌が棲息しやすい木槽とした理由は、木特有の呼吸効果や保水具合の良好から、悪臭軽減に大切な好気生菌の増殖に効果があるとし、特に、菌床と分解槽との接触面域で従来材質のように菌が死滅することのない効果が得られるため、その木槽内壁の度合いは、酒醸造に見られる発酵過程に等しく、菌に一番大切である条件を満たした最良な分解槽としたため、悪臭を軽減させる分解槽とした効果が得られるものである。
【００２４】
分解槽の菌床への通気では、否攪拌混合時にこそ大切なものであり、従来、菌床の上部より通気しているのでは、菌床の上述時間帯、熟成時点の分解作用中の菌床への酸素不足を強いるもので、菌の不活性から、分解が遅延し、嫌気生菌が蔓延して悪臭が増大するものだが、本発明の通気箱を用いることで、否攪拌混合時に菌床下部より通気を促すことが可能である。
通気に際し、通気口より下方向へ菌床毎処理物は落下しないよう通気口に巣板又は、巣網を施したものに箱で覆い、内部に通気可海綿状のスポンジ質材を詰め込んだことで処理物の落下を防ぎ通気を可能としたものである。
従って、菌床の熟成時間帯にこそ酸素不足を起こす事無く通気送風を可能としたもので好気生菌の増殖の効果が得られるものである。
【００２５】
分解槽で生ゴミを菌が分解した後、従来はそれで完了として、悪臭などの処理に生態系を応用してこなかったもので、完全な悪臭処理が実現できておらず設置場所に限界が生じていたものである。
その点、本発明は菌の分解後、水槽内で棲息させた浮き草類や水中草類、魚類貝類等ありとあらゆる生物の生殖形態から、分解槽からのガスに含まれる水蒸気等に付着している悪臭の元である物質を水中に散気溶解させることで、溶け込む物質を好む水中生物が取込む生理作用の、その生態系を利用した悪臭消臭の効果を目論んだもので、現在と以後に於いて再び生命を脅かす弊害をない処理対策として安全で安心な生ゴミ処理システムとして設置場所を問わず、更に、新なる社会環境を創造するその位置付を提案する効果が得られるものである。
【００２６】
生植物飼育水槽では光を好む生物が物質分解をするが、加えて、光を拒む微生物の分解作用を得る暗室水槽へ処理水を導くことで、従来、光に晒されて異状に肥大した内容物がある場合、この暗室での微生物がそれを均等に分解して浄化後の処理水を栽培作物として施水することで、生ゴミ処理で生じたガス水蒸気もろともに公害を生まないだけでなく、却って有効的な水として利用することのできる効果が得られるものである。
【００２７】
生植物飼育水槽への散気バブリング後エヤー分として逐次産出する元ガスを、栽培ハウスへ送風し、そのエヤーを作物の光合成生殖活動等により空気清浄化の効果を得て、その後、換気窓から野外放出するシステムから、周辺に悪臭公害を及ぼさないだけでなく、却って、作物を生かすためのエヤー供給という良好な解決策として、その新なる生ゴミへの生態系活用を提案するという、その効果が得られるものである。
【図面の簡単な説明】
【図１】木槽式生態系生ゴミ処理システムの全体の斜視図である。１は木槽胴体と木槽本体を兼ている。
【図２】システムの内、装置に係る部分の正面図である。
【図３】同側面図である。
【図４】同平面図である。
【図５】木槽の斜視部分図であり、バンド構造と取出し口を示している。
【図６】バンドスプリング部の側面部分図である。
【図７】６図の反対側のスプリング部を示している。
【図８】通気箱内部と菌床の接触部を示した側面断面部分図である。
【図９】通気口部分の斜視部分図である。巣は一部内部を示して省いてある。
【図１０】散気板の内部構造を示した斜視図である。海綿状包囲材は一部省略している。
【符号の説明】
１  木槽本体と胴体
２  木槽両妻面
３  枠柱
４  投入口チョッパー
５  通気箱
６  踏台
７  攪拌ギヤー
８  攪拌駆動モーター
９  チョッパーギヤー
１０  チョッパー駆動モーター
１１  通気送風ブロワー
１２  通気パイプ
１３  ガス排出パイプ
１４  水上浮き草類
１５  貝類
１６  魚類
１７  ガス排出口
１８  水中草類
１９  貝類
２１  生植物飼育水槽
２２  水槽水
２３  吸入送風機
２４  散気パイプ
２５  オーバーフローパイプ
２６  散気板
２７  暗室水槽
２８  オーバーフローパイプ
２９  通水パイプ
３０  分岐パイプ
３１  施水パイプ
３２  栽培ハウス
３３  換気窓
３４  作物
３５  エヤー分配パイプ
３６  分離散気パイプ
５０  攪拌シャフト
５１  メタル
５２  メタル
５３  チェーン
５４  攪拌棒
５５  チョッパーシャフト
５６  メタル
５７  メタル
５８  チョッパーギヤー
５９  チエーン
６０  チョッパー排出口
６１  木槽バンド
６２  バンド締めナット
６３  バンド伝手
６５  スプリング
６６  枠
６７  バンドボルト
６８  スプリング固定具
７０  バケツ
７１  生ゴミ
７２  粉砕生ゴミ
７３  菌床
７４  暗室水槽貯水
８１  海綿状スポンジ質材
８２  巣板、巣網
８３  通気箱枠
８４  ビス
８５  取出し口
８６  取出し口蓋
【図１】
2004314036.tif 000003
【図２】
2004314036.tif 000004
【図３】
2004314036.tif 000005
【図４】
2004314036.tif 000006
【図５】
2004314036.tif 000007
【図６】
2004314036.tif 000008
【図７】
2004314036.tif 000009
【図８】
2004314036.tif 000010
【図９】
2004314036.tif 000011
【図１０】
2004314036.tif 000012